(57)【要約】      （修正有）【課題】コンパクトで、しかも簡単な操作で二剤を確実に混合して注出できるポンプ付き二剤混合容器を提案する。【解決手段】二剤混合容器を、上端開口1aを有しその内部に内容物を収納する主室を形成する容器本体１と、この容器本体1の上端開口1aに回転不能に係合保持されその外側壁にねじ部ｎを有する中間筒体３と、内筒部4a、外筒部4b及びそれらを相互につなぐ天板部4cからなり該外筒部4bの内側壁で前記中間筒体３のねじ部ｎに係合させその回転に伴い前記中間筒体３の軸心に沿って往復移動可能とした回動カバー体４と、この回動カバー体４の天板部4cの上でスライド可能に弾性支持されるノズルヘッド５と、このノズルヘッド５に前記内筒部4aを通してつながりその押し込みと復帰動作とを繰り返すことによって容器本体の主室Ｍ内における内容物を吸引、加圧、圧送しノズルヘッドの注出口を通して内容物を排出するポンプ６とを備えたものにて構成する。【選択図】図１
2006306425.tif 000002
【特許請求の範囲】
【請求項１】
上端開口を有しその内部に内容物を収納する主室を形成する容器本体と、この容器本体の上端開口に回転不能に係合保持されその外側壁にねじ部を有する中間筒体と、内筒部、外筒部及びそれらを相互につなぐ天板部からなり該外筒部の内側壁で前記中間筒体のねじ部に係合させその回転に伴い前記中間筒体の軸心に沿って往復移動可能とした回動カバー体と、この回動カバー体の天板部の上でスライド可能に弾性支持されるノズルヘッドと、このノズルヘッドに前記内筒部を通してつながりその押し込みと復帰動作とを繰り返すことによって容器本体の主室内における内容物を吸引、加圧、圧送しノズルヘッドの注出口を通して内容物を外界へ排出するポンプとを備え、
前記ポンプのシリンダー末端を前記回動カバー体の内筒部に連結して該ポンプそのものを中間筒体の内部に懸垂支持するとともに、前記中間筒体の後端部に、該中間筒体と一体連結し該ポンプを内側に封じ込めてシリンダーの外側壁、中間筒体の内壁及び回動カバー体にて他の内容物を収納する副室を形成する隔壁を配設してなり、
前記副室内に、回動カバー体に固定保持され、回動カバー体のねじ込みにて前記隔壁を押し切りして該隔壁を副室内の他の内容物とともに主室内へ脱落させて主室内の内容物と副室内の他の内容物を混合させる押し切り筒体を設け、
前記容器本体は、その内壁に沿ってスライド可能で主室の底壁を形成するすり鉢断面をなすスライダーと、容器本体の底部に嵌り込み該スライダーの裏面に空気を導入する通路をもったべースカップを有する、ことを特徴とするポンプ付き二剤混合容器。
【請求項２】
前記中間筒体と前記回動カバー体との相互間に配置され該回動カバー体の回転を阻止するストッパーを有する、請求項１記載のポンプ付き二剤混合容器。
【請求項３】
上端開口を有しその内部に内容物を収納する主室を形成する容器本体と、この容器本体の上端開口に回転不能に係合保持される中間筒体と、内筒部、外筒部及びそれらを相互につなぐ天板部からなり該中間筒体の外側壁でスライド不能に抜け止めされ、かつ、該中間筒体の周りに回転可能に保持された回動カバー体と、この回動カバー体の天板部の上でスライド可能に弾性支持されるノズルヘッドと、このノズルヘッドに前記内筒部を通してつながりその押し込みと復帰動作とを繰り返すことによって容器本体内の内容物を吸引、加圧、圧送しノズルヘッドの注出口を通して内容物を外界へ排出するポンプとを備え、
前記ポンプのシリンダー末端を前記回動カバー体の内筒部に連結して該ポンプそのものを中間筒体の内部に懸垂支持するとともに、前記中間筒体の後端部に、該中間筒体と一体連結し該ポンプを内側に封じ込めてシリンダーの外側壁、中間筒体の内壁及び回動カバー体にて他の内容物を収納する副室を形成する隔壁を配設してなり、
前記副室内に、回動カバー体に固定保持され、回動カバー体の回転に伴うスライドにて前記隔壁を押し切りして該隔壁を副室内の他の内容物とともに主室内へ脱落させて主室内の内容物と副室内の他の内容物を混合させる押し切り筒体を設け、
前記容器本体は、その内壁に沿ってスライド可能で主室の底壁を形成するすり鉢断面をなすスライダーと、容器本体の底部に嵌り込み該スライダーの裏面に空気を導入する通路をもったべースカップを有する、ことを特徴とするポンプ付き二剤混合容器。
【請求項４】
前記回動カバー体はその内壁面に傾斜面を有する凸部を有し、前記中間筒体はその壁部の対向位置に該中間筒体の軸心に沿って開口する二本のスリットを有し、前記押圧筒体は外壁の対向位置に、前記中間筒体のスリットを通り抜けて前記回動カバー体の凸部の傾斜面に連係し該回動カバー体の回転にて押圧筒体をスリットに沿ってスライドさせる突起を有する、請求項３記載のポンプ付き二剤容器。
【請求項５】
前記回動カバー体はその内壁面に螺旋溝を有し、前記中間筒体はその壁部の対向位置に該中間筒体の軸心に沿って開口する二本のスリットを有し、前記押圧筒体は外壁の対向位置に、前記中間筒体のスリットを通り抜けて前記回動カバー体の螺旋溝に連係し該回動カバー体の回転にて押圧筒体をスリットに沿ってスライドさせる突起を有する、請求項３記載のポンプ付き二剤混合容器。
【請求項６】
前記中間筒体と回動カバー体の外筒部との相互間に気密性を保持するシール部材を有する請求項１〜５の何れかに記載のポンプ付き二剤混合容器。
【請求項７】
前記スライダーとベースカップとの間に、該スライダーを容器本体の内圧変化に応じて下降させる隙間を有する請求項１〜６の何れかに記載のポンプ付き二剤混合容器。
【発明の詳細な説明】
【技術分野】
【０００１】
本発明は、ポンプ付き二剤混合容器に関するものであり、容器のコンパクト化（容器の背丈を低くする）を図るとともに、内容物を使用するに際して二剤を簡単な操作でもって確実に混合しようとするものである。
【背景技術】
【０００２】
化粧料や薬剤を入れる容器としては、内容物の多様性から、主成分等を装填する主容器と補助成分等を装填する副容器をそれぞれ合体させ、内容物の注出に際して副容器内の補助成分等を主容器の主成分等に添加、混合し、その後にポンプによって混合に係わる内容物を注出する構造のものが用いられている（例えば、特許文献１参照）。
【特許文献１】特開2003−292074号公報
【０００３】
ところで、この種の容器は、主容器と副容器が直列に配置されており、これにさらにポンプ機構が別途に組み込まれていることから容器の背が高くなる傾向にあり、しかも副室内の内容物を主室内の内容物へ向けて添加するには、それぞれに設けられた開口部を合致させる正確な位置合わせを行う操作が必要であるうえ、たとえ正確な位置合わせができたとしても補助成分等を全て落としきることができない場合もあって（開口部は一定のサイズを有するため粉末等を内容物とする場合、内容物が残留する）、使い勝手がよいとは言えないのが現状であった。
【発明の開示】
【発明が解決しようとする課題】
【０００４】
本発明の課題は、ポンプ機構を容器の中に一体収納して容器のコンパクト化を図るとともに、回転操作のみで二剤を確実に混合し得る使い勝手の良好なポンプ付き二剤混合容器を提案するところにある。
【課題を解決するための手段】
【０００５】
本発明は、上端開口を有しその内部に内容物を収納する主室を形成する容器本体と、この容器本体の上端開口に回転不能に係合保持されその外側壁にねじ部を有する中間筒体と、内筒部、外筒部及びそれらを相互につなぐ天板部からなり該外筒部の内側壁で前記中間筒体のねじ部に係合させその回転に伴い前記中間筒体の軸心に沿って往復移動可能とした回動カバー体と、この回動カバー体の天板部の上でスライド可能に弾性支持されるノズルヘッドと、このノズルヘッドに前記内筒部を通してつながりその押し込みと復帰動作とを繰り返すことによって容器本体の主室内における内容物を吸引、加圧、圧送しノズルヘッドの注出口を通して内容物を外界へ排出するポンプとを備え、
前記ポンプのシリンダー末端を前記回動カバー体の内筒部に連結して該ポンプそのものを中間筒体の内部に懸垂支持するとともに、前記中間筒体の後端部に、該中間筒体と一体連結し、該ポンプを内側に封じ込めてシリンダーの外側壁、中間筒体の内壁及び回動カバー体にて他の内容物を収納する副室を形成する隔壁を配設してなり、
前記副室内に、回動カバー体に固定保持され、回動カバー体のねじ込みにて前記隔壁を押し切りして該隔壁を副室内の他の内容物とともに主室内へ脱落させて主室内の内容物と副室内の他の内容物を混合させる押し切り筒体を設け、
前記容器本体は、その内壁に沿ってスライド可能で主室の底壁を形成するすり鉢断面をなすスライダーと、容器本体の底部に嵌り込み該スライダーの裏面に空気を導入する通路をもったべースカップを有する、ことを特徴とするポンプ付き二剤混合容器である。
【０００６】
上記の構成になる容器においては、前記中間筒体と前記回動カバー体との相互間に、該回動カバー体の回転を阻止するストッパーを設けるのが望ましい。
【０００７】
また、本発明は、上端開口を有しその内部に内容物を収納する主室を形成する容器本体と、この容器本体の上端開口に回転不能に係合保持される中間筒体と、内筒部、外筒部及びそれらを相互につなぐ天板部からなり該中間筒体の外側壁でスライド不能に抜け止めされ、かつ、該中間筒体の周りに回転可能に保持された回動カバー体と、この回動カバー体の天板部の上でスライド可能に弾性支持されるノズルヘッドと、このノズルヘッドに前記内筒部を通してつながりその押し込みと復帰動作とを繰り返すことによって容器本体内の内容物を吸引、加圧、圧送しノズルヘッドの注出口を通して内容物を外界へ排出するポンプとを備え、
前記ポンプのシリンダー末端を前記回動カバー体の内筒部に連結して該ポンプそのものを中間筒体の内部に懸垂支持するとともに、前記中間筒体の後端部に、該中間筒体と一体連結し、該ポンプを内側に封じ込めてシリンダーの外側壁、中間筒体の内壁及び回動カバー体にて他の内容物を収納する副室を形成する隔壁を配設してなり、
前記副室内に、回動カバー体に固定保持され、回動カバー体の回転に伴うスライド(下向きに移動する直線的なスライド)にて前記隔壁を押し切りして該隔壁を副室内の他の内容物とともに主室内へ脱落させて主室内の内容物と副室内の他の内容物を混合させる押し切り筒体を設け、
前記容器本体は、その内壁に沿ってスライド可能で主室の底壁を形成するすり鉢断面をなすスライダーと、容器本体の底部に嵌り込み該スライダーの裏面に空気を導入する通路をもったべースカップを有する、ことを特徴とするポンプ付き二剤混合容器である。
【０００８】
上記の構成になる容器は、前記回動カバー体はその内壁面に傾斜面を有する凸部又は螺旋溝を設け、前記中間筒体の壁部の対向位置に該中間筒体の軸心に沿って開口する二本のスリットを設け、前記押圧筒体には外壁の対向位置に、前記中間筒体のスリットを通り抜けて前記回動カバー体の凸部の傾斜面又は螺旋溝に連係し該回動カバー体の回転にて押圧筒体をスリットに沿ってスライドさせる突起を設けるのが望ましい。
【０００９】
前記中間筒体と回動カバー体の外筒部との相互間には、気密性を保持するＯリングの如きシール部材を配置する。
【００１０】
また、前記スライダーとベースカップとの間には、該スライダーを容器本体の内圧変化に応じて下降させる隙間を設けるように構成するのが望ましい。
【発明の効果】
【００１１】
内容物を注出するポンプは、そのシリンダー末端を回動カバー体の内筒部の下端に連結して該ポンプそのものを中間筒体の内側に懸垂支持した一体収納構造としたので、容器の背丈の短縮が可能となる。
【００１２】
また、中間筒体の後端部に、該中間筒体と一体連結する隔壁を設けて、該ポンプをその内側に封じ込めるとともにシリンダーの外側壁、中間筒体の内壁及び回動カバー体にて他の内容物を収納する副室を形成し、先端に刃先を有する押し切り筒体で該隔壁を押し切ることで副室内の他の内容物の全てを主室へ向けて脱落させることが可能となる。
【発明を実施するための最良の形態】
【００１３】
以下、図面を参照して本発明をより具体的に説明する。
図１は本発明にしたがうポンプ付き二剤混合容器の実施の形態を示したものである。
【００１４】
図における１は内容物を収納する主室Ｍを形成する容器本体である。この容器本体１は上端開口1a及び下端開口1bを有しており、その内側には内壁に沿ってスライド可能で主室Ｍの底壁を形成するすり鉢断面をなすスライダー1c（内容物が注出され主室Ｍ内が減圧されることにより上方へ向けてスライドする）が配置される。
【００１５】
また、２は容器本体１の底部に嵌り込みスライダー1bの裏面に空気（外気）を導入する通路ｔをもったベースカップである。このベースカップ２の内筒2aの先端からスライダー1cの下端に至るまでの間には二剤混合時の内圧変化（容器本体１内の体積減少に伴う内圧の上昇）に応じて該スライダー1cが下降できるように隙間ｈが設けられる。また、３は中間筒体である。この中間筒体３はその上端部の外側壁にねじ部ｎが設けられ、その下端部には内壁3a、外壁3bによって溝部3cが形成されており、容器本体１の上端開口1aが溝部3cに嵌り込んで縦リブｒとこの縦リブｒを嵌め込む縦溝r１などの手段により回転不能に係合保持されている。
【００１６】
また、４は中間筒体３の上側開放端において被さる回動カバー体である。この回動カバー体４は両端が開放された内筒部4aと、内側壁で中間筒体３のねじ部ｎに係合するねじｎ１を有する外筒部4bと、内筒部4a及び外筒部4bを相互につなぐ天板部4cからなっており、回動カバー体４をねじ込む（回転させる）ことで中間筒体３の軸心に沿って往復移動するようになっている。
【００１７】
５は内容物を注出するためのノズルヘッドである。このノズルヘッド５はポンプの排出経路につながる注出口5aと、内筒部4aの内側を通り抜けて後述のシリンダーの中に向けて伸延するステム5bを有し、回動カバー体４の天板部4cの上に設けられた凹部4c１でスプリングsを介してスライド可能に弾性保持される。
【００１８】
６は容器本体１の主室Ｍに存在する内容物を吸引、加圧、圧送してノズルヘッド５の注出口5aを通して内容物を外界へ排出するためのポンプである。
【００１９】
ポンプ６は、主室Ｍに口部を指向させた吸引管ｋを有するシリンダー6aと、ノズルヘッド５のステム5bの内側で一体連結するガイド6bと、このガイド6b及びステム5bの相互間で隙間ｐを隔てて保持されシリンダー6aの中でガイド6b、ステム5bとともに往復移動するピストン6cと、吸引管ｋの出側で保持され吸入にかかる内容物の逆流を防止する逆止弁6d（図示例では三点弁で表示する）からなる。
【００２０】
上記ポンプ６のシリンダー6aの末端（上端）は、回動カバー体４の裏面に設けられた溝部4dに嵌合して内筒部4aに連結され、ポンプ６そのものが中間筒体３の中で懸垂支持されており、これによりポンプ６は容器内に一体収納される。
【００２１】
また、７は中間筒体３の後端部でそれと一体に連結する隔壁である。この隔壁７はポンプ６を中間筒体３の内側に封じ込めるとともに、吸引管ｋ、シリンダー6aの外壁、中間筒体３の内壁及び回動カバー体4にて他の内容物を収納する副室Ｍ１を形成する。なお、隔壁７の、中間筒体３との連結部位は、後述の押し切り筒体による切除を容易とするため他の部位よりも薄肉に形成されている。
【００２２】
８は副室Ｍ１の中に設けられた押し切り筒体である。この押し切り筒体８は先端に逆三角形状の刃先8aを周方向に複数有しており、その後端が回動カバー体４の天板部4cの裏面に形成された溝部4eに固定保持され、回動カバー体４の回転に伴うねじ込み（下向きへのスライド）にて隔壁７を押し切り、該隔壁７を副室Ｍ１内の他の内容物とともに主室Ｍへ脱落させて主室Ｍ内の内容物と副室Ｍ１内の他の内容物を混合させる。
【００２３】
さらに、９は中間筒体３の段部3dと、回動カバー体４の下端との相互間に配置され回動カバー体４の回転による下向きへの移動を阻止するＣ形状になる弾性ストッパー、10はノズルヘッド５を内側に納めるオーバーキャップ、そして11は中間筒体３と回動カバー体４の外筒部4bとの相互間の気密性を保持するためのシール部材（Ｏリング等）である。なお上記弾性ストッパー９は、回動カバー体4の外筒部4b下部に薄肉部又は連結片を介して破断可能に一体連結するバージンリング体に置き換えることも可能である。
【００２４】
上記の構成になる容器はその開封前においては、隔壁７によって主室Ｍと副室Ｍ１とが確実に遮断されている。
【００２５】
弾性ストッパー９とオーバーキャップ10をそれぞれ取り外して回動カバー体４を回転させ容器本体１に近づくようにねじ込むと、それに従い押し切り筒体８は容器本体１の主室Ｍに向けてスライドし、その刃先8aで隔壁７が押し切られることとなり、切除された隔壁７は他の内容物とともに主室Ｍに向けて脱落する。
【００２６】
容器本体１の底壁を形成するスライダー1cはすり鉢状の断面形状とすることで、主室Ｍ内の内容物は全て吸引管ｋの入り口に集めることが可能となり内容物が残留するのを防ぐことができる。
【００２７】
図２は本発明にしたがう容器の他の実施の形態を示したものである。この例において回動カバー体４は中間筒体３に対して回転可能になっているが、アンダーカットＣの如き係合手段にて抜け止めされており、その内壁面には図３に示すように、傾斜面をもった逆三角形状をなす凸部12が設けられている。また、中間筒体３は図４に示すように壁部の対向位置にその軸心に沿って上方に開口する二本のスリット13を有し、押し切り筒体８は外壁の対向位置に図５に示すような突起14を有しており、該突起14は中間筒体３のスリット13を通り抜け回動カバー体４の凸部12に連係（傾斜面の下側に位置する）している。
【００２８】
かかる構成になる容器はその開封前においては押し切り筒体８の突起14が回動カバー体４の内壁面に設けられた凸部12の上端に位置している。
【００２９】
副室Ｍ１内の内容物を主室Ｍに脱落させて混合すべく回動カバー体４を回転させると、押し切り筒体８の突起14は凸部12の傾斜面にて下向きに押し込まれる。
【００３０】
凸部12の傾斜面にて突起14が押し込まれると該突起14は押し切り筒体８とともにスリット13に沿って下向きにスライドしていき、これにより隔壁７が押し切られ、副室Ｍ１内の内容物と一緒に主室Ｍへと脱落する。
【００３１】
凸部12は上記のように、傾斜面を有する逆三角形状のものを適用することができるが、突起14を入れ込むことができる溝部としてもよい。また、凸部12は螺旋形状の溝部あるいは螺旋形状の凸部とすることも可能であり、この点については限定されない。また、図示はしないが、該凸部12の傾斜面や螺旋溝等には、回転時に該突起14が乗り越え可能な突起等を形成し、二剤を混合する前の位置で押し切り筒体８の突起14を位置決めする構造とすることも可能である。
【００３２】
さらに、上掲図１、図２に示した通り、回動カバー体４には回転方向を示す矢印及びマークを付すとともに、中間筒体3に混合前・混合時の位置合わせマークを付しておく場合には、使用者が外部からその状態を視認することが可能となり好適である。なお、前記矢印やマークは凹凸を設けることで形成することができるが、ホットスタンプ、印刷等の加飾を施すことによって形成してもよく、その方法は適宜選択される。
【産業上の利用可能性】
【００３３】
ポンプの一体収納によるコンパクト化が可能で、回動カバー体を単に回転させるだけで二剤を混合し得る、使い勝手のよいポンプ付き二剤混合容器が提供できる。
【図面の簡単な説明】
【００３４】
【図１】本発明にしたがうポンプ付き二剤混合容器の実施の形態を示した図である。
【図２】本発明にしたがうポンプ付き二剤混合容器の他の実施の形態を示した図である。
【図３】図２に示した容器の回動カバー体の外観斜視図である。
【図４】図２に示した容器の中間筒体の要部を示した外観斜視図である。
【図５】図２に示した容器の押し切り筒体の要部を示した外観斜視図である。
【符号の説明】
【００３５】
１  容器本体
1a  上端開口
1b  下端開口
1c  スライダー
２  ベースカップ
３  中間筒体
3a  内壁
3b  外壁
3c  溝部
3d  段部
４  回動カバー体
4a  内筒部
4b  外筒部
4c  天板部
4c１  凹部
4d  溝部
4e  溝部
５  ノズルヘッド
5a  注出口
5b  ステム
６  ポンプ
6a  シリンダー
6b  ガイド
6c  ピストン
6d  逆止弁
７  隔壁
８  押し切り筒体
8a  刃先
９  弾性ストッパー
10  オーバーキャップ
11  シール部材
12  凸部
13  スリット
14  突起
Ｍ  主室
Ｍ１  副室
ｎ  ねじ部
ｎ１  ねじ部
Ｐ  隙間
ｋ  吸引管
ｒ  縦リブ
ｒ１  縦溝
ｔ  通路
【図１】
2006306425.tif 000003
【図２】
2006306425.tif 000004
【図３】
2006306425.tif 000005
【図４】
2006306425.tif 000006
【図５】
2006306425.tif 000007